(57)【要約】【課題】防水部材の組付け作業を容易に行うことができる小型電気機器を提供する。【解決手段】第１の本体ケース２１には、内蔵の制御基板３２上の表示装置３６の表示部３６ａを外部に臨ませる表示開口部４２が設けられ、その表示開口部４２を塞ぐように表示窓部材５１が配置され、その前面を覆うように前面パネル２５が配置される。そして、表示部３６ａの表示を不鮮明とする表示窓部材５１と前面パネル２５との間への水等の浸入を防止すべく、表示窓部材５１よりも外周側に位置する本体ケース２１の環状平坦面４３と前面パネル２５との間に両面テープ構造の防水シート５２が貼着される。【選択図】図２
2012179142.tif 000002
【特許請求の範囲】
【請求項１】
使用者に機器の状態を表示させるための表示装置と、前記表示装置の表示部を外部に臨ませる表示開口部を有し前記表示装置を含む電気部品が収容された本体ケースと、前記本体ケースの表示開口部に設けられた表示窓部材と、前記表示窓部材の上面を覆うように設けられたパネル部材とを備え、外部から前記パネル部材及び前記表示窓部材の各透過部を介して前記表示装置の表示部を視認可能に構成された小型電気機器であって、
前記表示窓部材より外周側の前記本体ケースと前記パネル部材との間に防水部材が設けられて、前記表示窓部材と前記パネル部材との間に防水された空間が形成されたことを特徴とする小型電気機器。
【請求項２】
請求項１に記載の小型電気機器において、
前記表示窓部材は、前記表示開口部を塞ぐように設けられ、その開口周縁部に対して前記本体ケースの内部が防水構造となるように水密固定されたことを特徴とする小型電気機器。
【請求項３】
請求項１又は２に記載の小型電気機器において、
前記防水部材は、両面テープにて構成され、各面が前記本体ケースと前記パネル部材とのそれぞれに貼着可能に構成されたことを特徴とする小型電気機器。
【請求項４】
請求項３に記載の小型電気機器において、
前記本体ケースに対する前記防水部材の位置決めを行う位置決め部が前記本体ケース及び前記防水部材の少なくとも一方に設けられたことを特徴とする小型電気機器。
【請求項５】
請求項１又は２に記載の小型電気機器において、
前記防水部材は、Ｏリングであり、前記本体ケースと前記パネル部材とのそれぞれに当接可能に構成されたことを特徴とする小型電気機器。
【請求項６】
請求項１又は２に記載の小型電気機器において、
前記防水部材は、前記本体ケースに一体成形されたことを特徴とする小型電気機器。
【発明の詳細な説明】
【技術分野】
【０００１】
本発明は、例えば電気かみそりや電動歯ブラシ等の小型電気機器に関するものである。
【背景技術】
【０００２】
小型電気機器、例えば電気かみそりとしては、例えば特許文献１に示されるように、制御基板（制御回路）や二次電池、表示装置等の電気部品が本体ケースに収容され、表示装置の表示部を外部から視認可能とすべく本体ケースに開口部等を形成しつつ防水構造にて構成されている。
【０００３】
その表示装置部分の一構成例として例えば図７に示すように、本体ケース７１には内蔵の制御基板７２上の表示装置７３の表示部７３ａを外部に臨ませる表示開口部７４が設けられ、その表示開口部７４を塞ぐように表示窓部材７５が配置される。表示窓部材７５は、表示開口部７４に対応する窓部７５ａとその窓部７５ａの周囲に取付用のフランジ部７５ｂとを有し、フランジ部７５ｂが開口周縁部７４ａに溶着等にて固定される。そして、表示窓部材７５の上面はパネル部材７６で覆われて、外部からパネル部材７６の透過部７６ａ及び表示窓部材７５の窓部７５ａを介して表示装置７３の表示部７３ａが視認できるようにした構成が考えられる。このような構成では、表示窓部材７５の窓部７５ａとパネル部材７６の透過部７６ａとの間に水等が浸入することで表示部７３ａの表示が不鮮明となる場合がある。その対策として、例えば表示窓部材７５の窓部７５ａの周囲、即ちフランジ部７５ｂとパネル部材７６との間に防水部材７７が介在され、窓部７５ａとパネル部材７６との間を防水構造とすることが好ましい。
【先行技術文献】
【特許文献】
【０００４】
【特許文献１】特開２００６−４２８９８号公報
【発明の概要】
【発明が解決しようとする課題】
【０００５】
しかしながら、上記の防水構造とした場合、防水部材７７の組付け作業を精度良く行わないと、窓部７５ａ上（表示領域上）に防水部材７７の一部が侵入することがあり、表示部７３ａの視認の妨げとなる虞がある。また、両面テープ構造の防水部材７７を用いる場合、構造上は防水部材７７の貼り直しができるものの、一旦窓部７５ａに貼り付けられると窓部７５ａに粘着剤が残って汚れたり、剥がす際に窓部７５ａを傷付けたりと、実質的に貼り直しが困難である。結果、そのような事態に陥らないように防水部材７７の取付作業に一層慎重性が要求され、作業効率の低下に繋がることが問題であった。
【０００６】
本発明は、上記課題を解決するためになされたものであって、その目的は、防水部材の組付け作業を容易に行うことができる小型電気機器を提供することにある。
【課題を解決するための手段】
【０００７】
上記課題を解決するために、本発明の小型電気機器は、使用者に機器の状態を表示させるための表示装置と、前記表示装置の表示部を外部に臨ませる表示開口部を有し前記表示装置を含む電気部品が収容された本体ケースと、前記本体ケースの表示開口部に設けられた表示窓部材と、前記表示窓部材の上面を覆うように設けられたパネル部材とを備え、外部から前記パネル部材及び前記表示窓部材の各透過部を介して前記表示装置の表示部を視認可能に構成された小型電気機器であって、前記表示窓部材より外周側の前記本体ケースと前記パネル部材との間に防水部材が設けられて、前記表示窓部材と前記パネル部材との間に防水された空間が形成されたことを特徴とする。
【０００８】
また上記構成においては、前記表示窓部材は、前記表示開口部を塞ぐように設けられ、その開口周縁部に対して前記本体ケースの内部が防水構造となるように水密固定されることが好ましい。
【０００９】
また上記構成においては、前記防水部材は、両面テープにて構成され、各面が前記本体ケースと前記パネル部材とのそれぞれに貼着可能に構成されることが好ましい。
また上記構成においては、前記本体ケースに対する前記防水部材の位置決めを行う位置決め部が前記本体ケース及び前記防水部材の少なくとも一方に設けられることが好ましい。
【００１０】
また上記構成においては、前記防水部材は、Ｏリングであり、前記本体ケースと前記パネル部材とのそれぞれに当接可能に構成されることが好ましい。
また上記構成においては、前記防水部材は、前記本体ケースに一体成形されることが好ましい。
【発明の効果】
【００１１】
本発明によれば、防水部材の組付け作業を容易に行うことができる小型電気機器を提供することができる。
【図面の簡単な説明】
【００１２】
【図１】本実施形態における電気かみそりの分解斜視図。
【図２】（ａ）は電気かみそりの断面図、（ｂ）は把持部の断面図。
【図３】本体ケースと両面テープとの配置を説明するための拡大図。
【図４】別例における把持部の部分拡大図。
【図５】別例における把持部の断面図。
【図６】別例における把持部の断面図。
【図７】従来例における把持部の各部材の配置を説明するための模式図。
【発明を実施するための形態】
【００１３】
以下、本発明を具体化した一実施形態を図１〜図３に従って説明する。
図１及び図２に示すように、本実施形態の小型電気機器としての髭用の電気かみそり１１は、使用者が把持可能な把持部１２と、該把持部１２の上端に設けられたヘッド部１３とを備える。
【００１４】
ヘッド部１３の上端部には、髭等の体毛を導入可能な外刃１４が自身の短手方向であってヘッド部１３の前後方向に沿って複数（本実施形態では５個）並設されている。また、図２に示すように、ヘッド部１３において、各外刃１４の内部側には、それぞれ外刃１４の長手方向であってヘッド部１３の幅方向に沿って往復運動可能で外刃１４内に導入された体毛を挟んで切除するための内刃１５が設けられている。この内刃１５は、ヘッド部１３の内部に設けられた駆動源としてのリニアモータ１６にて駆動可能とされている。
【００１５】
把持部１２は、図１に示すように、制御ユニット３１を収容保持する第１及び第２の本体ケース２１，２２と、各本体ケース２１，２２を収容し把持のために主として後面及び側面の外観を形成する把持ケース２３，２４と、第１の本体ケース２１の前面に設けられた前面パネル２５とを有する。第１及び第２の本体ケース２１，２２の内部には制御基板３２、二次電池３３、スイッチ素子３４等を備える制御ユニット３１が収容され、各ケース２１，２２の結合部間に防水ゴム２６が設けられた防水構造をなしている。図２に示すように、第１及び第２の本体ケース２１，２２の上方にはヘッド部１３が連結され、ケース２１，２２内の制御ユニット３１は防水チューブ３５内を通る配線（図示略）を介してヘッド部１３のリニアモータ１６と電気的に接続されている。そして、スイッチ素子３４の作動に基づく制御基板３２の制御にて、二次電池３３からリニアモータ１６への給電が制御され、リニアモータ１６の駆動が制御されている。
【００１６】
制御基板３２の前面には、二次電池３３の充電残量や電気かみそり１１の使用時間等の機器情報を使用者に表示するための液晶表示装置３６が配置されている。第１の本体ケース２１の前面部分には、表示装置３６が収容されるようにその形状に応じて前方に膨出された膨出部４１が設けられている。膨出部４１には、前面の中央部分に表示装置３６の表示部３６ａを外部に臨ませるように表示部３６ａの形状に応じた略長方形状の表示開口部４２が貫通形成されている。膨出部４１には、表示開口部４２を塞ぎつつ表示部３６ａでの表示を外部から視認可能な透明又は半透明の部材で形成された表示窓部材５１が配置される。
【００１７】
表示窓部材５１は、中央部分が拡大レンズ又は縮小レンズを構成すべく厚肉で表示開口部４２に対応する窓部５１ａと、その窓部５１ａの周囲に取付用のフランジ部５１ｂとを有している。表示窓部材５１は、窓部５１ａが表示開口部４２に対応して配置され、フランジ部５１ｂが開口周縁部４２ａに固定されている。この場合、フランジ部５１ｂは表示開口部４２を囲むように開口周縁部４２ａに対して溶着にて固定され（図２（ｂ）参照）、その表示開口部４２を囲む溶着部４４にて表示窓部材５１と膨出部４１（第１の本体ケース２１）との間が防水構造をなしている。開口周縁部４２ａの外周部分には、開口周縁部４２ａよりも前方に若干突出し開口周縁部４２ａを囲むように環状平坦面４３が設けられている。
【００１８】
表示窓部材５１を含む第１の本体ケース２１の前面には、それを覆うように前面パネル２５が取着される。前面パネル２５には、表示窓部材５１の窓部５１ａに対応する透過窓２５ａが設けられている。つまり、把持部１２において、使用者が外部から前面パネル２５の透過窓２５ａ及び表示窓部材５１の窓部５１ａを介して表示装置３６の表示部３６ａにて表示された情報が視認できるように構成されている。
【００１９】
また、表示窓部材５１より外周側において、第１の本体ケース２１の環状平坦面４３と前面パネル２５との間には防水シート５２が設けられている。防水シート５２は、表示窓部材５１を囲む環状平坦面４３に合わせて環状に形成され、前後の面が粘着面５２ａ，５２ｂをなす両面テープにて構成されている。そして、前面パネル２５の本体ケース２１，２２への取付の際、防水シート５２の粘着面５２ａが前面パネル２５に、粘着面５２ｂが環状平坦面４３に貼付けられ、表示窓部材５１と前面パネル２５との間に防水空間Ｓが形成される。これにより、表示窓部材５１と前面パネル２５との間への水等の浸入が防止され、表示部３６ａの表示が不鮮明となることが防止される。また、この表示窓部材５１にて塞がれる本体ケース２１の表示開口部４２に対しては二重の防水構造となり、表示開口部４２から本体ケース２１，２２の内部への浸水は十分に防止されるものとなる。
【００２０】
因みに、図３に示すように、第１の本体ケース２１の環状平坦面４３においては、上辺及び下辺の幅方向中央部にそれぞれ位置決め部４３ａ，４３ｂが設けられている。これに対し、防水シート５２においても、各位置決め部４３ａ，４３ｂの位置に応じて幅方向中央部に位置決め部５２ｃ，５２ｄが設けられている。つまり、第１の本体ケース２１の環状平坦面４３に対する防水シート５２の貼着の際、自身の各位置決め部５２ｃ，５２ｄを環状平坦面４３の各位置決め部４３ａ，４３ｂに合わせて行うことで、適正位置への防水シート５２の貼付け作業が容易に行うことが可能となっている。
【００２１】
図１に示すように、前面パネル２５には、自身のスイッチ装着孔２５ｂにスイッチ５４が装着されている。スイッチ５４は、使用者により押し込み操作が可能に前面パネル２５と第１の本体ケース２１との間に支持され、制御基板３２上に設けられるスイッチ素子３４を本体ケース２１に設けられた防水ゴム５５を介して作動する。また、スイッチ５４にはロック部材５６が設けられ、スイッチ５４の押し込み操作が規制（ロック）されるようにもなっている。そして、使用者にてスイッチ５４がオン操作されると、制御ユニット３１からの給電に基づいてリニアモータ１６が駆動して内刃１５が往復振動し、外刃１４内に導入された髭等の体毛が切除されるようになっている。
【００２２】
この実施形態は、以下の効果を奏する。
（１）第１の本体ケース２１には、内蔵の制御基板３２上の表示装置３６の表示部３６ａを外部に臨ませる表示開口部４２が設けられ、その表示開口部４２を塞ぐように表示窓部材５１が配置され、その前面を覆うように前面パネル２５が配置されている。そして、表示部３６ａの表示を不鮮明とする表示窓部材５１と前面パネル２５との間への水等の浸入を防止すべく、表示窓部材５１よりも外周側に位置する本体ケース２１の環状平坦面４３と前面パネル２５との間に両面テープ構造の防水シート５２が貼着されている。つまり、このような防水を図る防水シート５２を表示部３６ａの表示領域上よりも外周側に十分に離間した本体ケース２１の環状平坦面４３に対して貼着する構成としたため、防水シート５２の貼着位置が多少ずれても、その表示領域上にはみ出る可能性は低い。また、防水シート５２を貼り直す必要が生じても、表示部３６ａの表示領域上に位置する表示窓部材５１の窓部５１ａ等に防水シート５２の粘着剤が残ったり、窓部５１ａを傷付けたりする可能性も低い。結果、防水シート５２の貼付作業に極度の慎重性が要求されずその作業を容易に行うことが可能になるため、作業効率を良好とすることができる。
【００２３】
また、従来のように表示窓部材５１の窓部５１ａの周囲に防水シート５２（防水部材）を設けた場合に比べて、表示窓部材５１より外周側の防水シート５２を本体ケース２１の環状平坦面４３に設けたことで、防水構造を構成して視認性を確保しつつ防水構造となる領域を拡大させ、且つ組付け作業の作業効率を向上させるといった効果を同時に得ることができる。
【００２４】
（２）本体ケース２１の表示開口部４２は表示窓部材５１の溶着にて防水構造をなすが、先の防水シート５２の防水にて二重の防水構造をなしている。これにより、表示開口部４２から本体ケース２１の内部への浸水を十分に防止することができる。
【００２５】
（３）防水シート５２は両面テープにて構成されるため、防水シート５２の取付は容易である。
（４）本体ケース２１への防水シート５２の貼付の際、それぞれに設けた位置決め部４３ａ，４３ｂ，５２ｃ，５２ｄをその貼付けの基準とすることで、防水シート５２の適正位置への貼付け作業を容易に行うことができる。
【００２６】
尚、本発明の実施形態は、以下のように変更してもよい。
・上記実施形態では、両面テープ構造の防水シート５２を用いて防水構造を構成していたが、これに限らない。例えば図４及び図５に示す態様では、膨出部４１の外周の側面４１ａに沿って弾性部材からなるＯリング６１が装着される。また、前面パネル２５には、その内側面から突出し膨出部４１の外周に沿って環状をなす環状突出部６２が設けられ、Ｏリング６１がその環状突出部６２と膨出部４１の側面４１ａとに当接して挟持される。これにより、表示窓部材５１と前面パネル２５との間への水等の浸入が防止される。このような防水を図るＯリング６１は、表示部３６ａの表示領域上から十分に離間した位置にてＯリング６１が装着されることから、表示領域上にＯリング６１の一部がはみ出ることが低減される。
【００２７】
また図６に示すように、例えば防水ゴム６３を膨出部４１の側面４１ａに対して一体成形して設けてもよい。同様に、表示部３６ａの表示領域上から十分に離間した位置にて防水ゴム６３の一体成形がなされることから、表示領域上に防水ゴム６３の一部がはみ出ることが低減される。
【００２８】
・上記実施形態において、表示開口部４２は、表示部３６ａの形状に応じた略長方形状に設けられたが、他の多角形状や、半円、円、楕円等のその他の形状に変更してもよい。
・上記実施形態において、表示窓部材５１と開口周縁部４２ａとを溶着して表示開口部４２の防水を図ったが、固定方法を変更してもよく、また防水構造としなくてもよい。
【００２９】
・上記実施形態では、第１の本体ケース２１側と防水シート５２側の両方に位置決め部４３ａ，４３ｂ，５２ｃ，５２ｄを設けたが、どちらか一方だけに設けてもよく、省略してもよい。
【００３０】
・上記実施形態では、表示装置に液晶表示装置３６を用いたが、ＬＥＤ等、他の表示装置を用いてよい。
・上記実施形態において、表示装置３６に表示させる機器情報は一例であり、他の情報、例えば家庭用商用電源への接続状態、外刃１４及び内刃１５等の刃の交換・点検時期、専用の駆動モードの状態、スイッチ５４のロック状態、外部機器との接続状態等の機器に関する情報を表示するようにしてもよい。
【００３１】
・上記実施形態において、表示窓部材５１に例えば印刷等を施して視認可能な領域を変更してもよい。
・上記実施形態において、ヘッド部１３を把持部１２に対して一体的に形成した構成に変更してもよい。
【００３２】
・上記実施形態では、髭用の電気かみそり１１に適用したが、髭以外の体毛の切除を行う電気かみそりに適用してもよい。また、電気かみそりに限らず、例えば電動歯ブラシ等、小型で防水性が要求されるその他の小型電気機器に適用してもよい。
【００３３】
・上記実施形態において、第１及び第２の本体ケース２１，２２、前面パネル２５、表示装置３６及び表示窓部材５１等の形状、材質、構成等は一例であり、上記以外で適宜変更してもよい。
【符号の説明】
【００３４】
１１…電気かみそり（小型電気機器）、２１，２２…第１及び第２の本体ケース（本体ケース）、２５…前面パネル（パネル部材）、２５ａ…透過窓（透過部）、３２…制御基板、３６…表示装置、３６ａ…表示部、４３ａ，４３ｂ，５２ｃ，５２ｄ…位置決め部、４２…表示開口部、４２ａ…開口周縁部、５１…表示窓部材、５１ａ…窓部（透過部）５２…防水シート（防水部材）、６１…Ｏリング（防水部材）、６３…防水ゴム（防水部材）、Ｓ…空間。
【図１】
2012179142.tif 000003
【図２】
2012179142.tif 000004
【図３】
2012179142.tif 000005
【図４】
2012179142.tif 000006
【図５】
2012179142.tif 000007
【図６】
2012179142.tif 000008
【図７】
2012179142.tif 000009